(57)【特許請求の範囲】
【請求項１】
ポンプにより鉢、植木などへ水やりを行う自動灌水器において、灌水器本体にポンプを内蔵し、この灌水器本体に組み合わされてポンプに接続されるタンクを有し、灌水器本体上部にタンクが着脱自在に取付けられるものであって、少なくともタンク下面部に結合凹部を設けて該結合凹部が灌水器本体に入れ子結合により着脱自在に結合されて成ることを特徴とするポンプ式灌水器。
【請求項２】
タンク底部に止水用の弁を設けて成ることを特徴とする請求項１記載のポンプ式灌水器。
【請求項３】
灌水器本体に設けたポンプブロックのケースとタンクとを直接着脱自在に結合して成ることを特徴とする請求項１記載のポンプ式灌水器。
【請求項４】
灌水器本体との結合部分のタンク底部の周囲に、灌水器本体を挟んで両側に止水用の弁よりも低いごみ等の異物を溜めるための凹所を設けて成ることを特徴とする請求項１又は請求項２記載のポンプ式灌水器。
【請求項５】
タンク下面部の結合凹部の両側に位置する灌水器本体の部位に電池収納部と、コントローラ収納部とを設けて成ることを特徴とする請求項１記載のポンプ式灌水器。
【請求項６】
灌水器本体のタンクとの結合部の上面に水受け用凹部を設けて成ることを特徴とする請求項１又は請求項２記載のポンプ式灌水器。
【請求項７】
タンクの下面部に形成した灌水器本体との結合部である結合凹部を下方程凹部の幅が広くなるように側面を傾斜させて成ることを特徴とする請求項４記載のポンプ式灌水器。
【請求項８】
タンクの下面部に下方及び側方に開口した結合凹部を設け、灌水器本体上面部に上方及び側方に開口した被結合用凹み部を形成し、結合凹部を被結合用凹み部に入れ子結合して成ることを特徴とする請求項１記載のポンプ式灌水器。
【請求項９】
タンクの下面部に少なくとも下方に開口した結合凹部を設け、この結合凹部に灌水器本体を入れ子結合して成ることを特徴とする請求項１記載のポンプ式灌水器。
【請求項１０】
ポンプに接続したホースの灌水器本体からの取り出し部を複数設けて成ることを特徴とする請求項１記載のポンプ式灌水器。
【請求項１１】
灌水器本体に電源である電池収納部を設け、この電池収納部の電池蓋の上方にタンクの底部を位置させて成ることを特徴とする請求項１又は請求項５記載のポンプ式灌水器。
【発明の詳細な説明】
【０００１】
【発明の属する技術分野】
本発明は、ポンプにより鉢、植木などへ水やりを行う自動灌水器に関するものである。
【０００２】
【従来の技術】
鉢、植木などに水やりを行うための灌水器として従来から電池により駆動するポンプでタンクの水を汲み上げる方式の灌水器が知られている。
この従来の灌水器はポンプを内蔵する灌水器本体とタンクが一体になっているか、あるいはコントローラ部とコードでつながったポンプをタンクの水の中に入れる構造となっている。
【０００３】
上記の従来例のうちポンプを内蔵する灌水器本体とタンクが一体となった一体型の灌水器の場合、タンクに水を入れるにはホースを外し、水道のある場所に持っていくか、あるいは、別の容器で水を運んでくるか、または、別のホースにより水を入れる必要がある。また、灌水器全体が大きくなり、収納時に場所を取るという問題がある。更に、一体型のため、タンクの掃除がしにくく、また、タンクに水を入れる際にコントローラ部に水がかかって機能を損なうおそれがあるという問題がある。
【０００４】
また、コントローラ部とコードでつながったポンプをタンクの水の中に入れる構造のものにおいては、タンクに水を入れるにはポンプブロックを一旦タンクの外に出す必要があるため、ポンプ内に溜まった水を受ける受け皿を用意しなければならないという問題があり、更に、コントローラはタンクに吊るすため不安定であり、設置場所が規制されないので、どのような場所にどのように置かれるかわからない。
【０００５】
【発明が解決しようとする課題】
本発明は上記の従来例の問題点に鑑みて発明したものであって、タンクへの水の補給が容易に行え、また、タンクへの水の補給時にコントローラ部に水がかかることなく給水でき、また、タンクと灌水器本体とを一体型と同様にして設置でき、更に、タンクの掃除が容易に行えるポンプ式灌水器を提供することを課題とするものである。
【０００６】
【課題を解決するための手段】
上記課題を解決するために本発明のポンプ式灌水器は、ポンプ１により鉢、植木などへ水やりを行う自動灌水器において、灌水器本体２にポンプ１を内蔵し、この灌水器本体２に組み合わされてポンプ１に接続されるタンク３を有し、灌水器本体２上部にタンク３が着脱自在に取付けられるものであって、少なくともタンク３下面部に結合凹部４を設けて該結合凹部４が灌水器本体２に入れ子結合により着脱自在に結合されて成ることを特徴とするものである。このようにタンク３を着脱自在とすることで、灌水器本体２やホース１３の設置はそのままで、タンク３を外して水源から水を入れて運んでくることができるものである。また、タンク３下面部の結合凹部４が灌水器本体２に入れ子結合により着脱自在に結合されることで、確実にタンク３をセットできるものである。
【０００７】
また、タンク３底部に止水用の弁５を設けることが好ましい。このような構成とすることで、タンク３を外した状態でタンク３から水が漏れないようにできるものである。
また、灌水器本体２に設けたポンプブロック６のケース７とタンク３とを直接着脱自在に結合することが好ましい。このような構成とすることで、タンク３とポンプブロック６とを接続するための別途接続ホースを必要としないものである。
【０００８】
また、灌水器本体２との結合部分のタンク３底部の周囲に、灌水器本体２を挟んで両側に止水用の弁５よりも低いごみ等の異物を溜めるための凹所８を設けることが好ましい。このような構成とすることで、ごみ等の異物が止水用の弁５よりも低い位置にある凹所８に溜まって止水用の弁５にごみ等の異物が溜まることがないものである。
【０００９】
また、タンク３下面部の結合凹部４の両側に位置する灌水器本体２の部位に電池収納部９と、コントローラ収納部１０とを設けることが好ましい。このような構成とすることで、灌水器本体２の給水部分の高さを低くすることができてタンク３を取付けた全体の高さを低くすることができるものである。また、タンク３を電池収納部９とコントローラ収納部１０とで両側から挟むことでタンク３を安定させることができるものである。
【００１０】
また、灌水器本体２のタンク３との結合部の上面に水受け用凹部１１を設けることが好ましい。このような構成とすることで、タンク３を外す際にタンク３の給水部に残った水を水受け用凹部１１で受けることができるものである。
また、タンク３の下面部に形成した灌水器本体２との結合部である結合凹部４を下方程凹部の幅が広くなるように側面を傾斜させることが好ましい。このような構成とすることで、傾斜した側面に沿って異物を落とすことができて、止水用の弁５が詰まったり、ポンプ１側に異物が侵入しないようにできるものである。
【００１１】
また、タンク３の下面部に下方及び側方に開口した結合凹部４を設け、灌水器本体２上面部に上方及び側方に開口した被結合用凹み部１２を形成し、結合凹部４を被結合用凹み部１２に入れ子結合することが好ましい。このような構成とすることで、簡単な構成でタンク３と灌水器本体２とを入れ子結合することができるものである。
【００１２】
また、タンク３の下面部に少なくとも下方に開口した結合凹部４を設け、この結合凹部４に灌水器本体２を入れ子結合することが好ましい。このような構成とすることで、簡単な構成でタンク３と灌水器本体２とを入れ子結合することができるものである。
また、ポンプ１に接続したホース１３の灌水器本体２からの取り出し部１４を複数設けることが好ましい。このような構成とすることで、灌水器や鉢の設置条件に応じてホース１３の引出し方向を変えることができるものである。
【００１３】
また、灌水器本体２に電源である電池収納部９を設け、この電池収納部９の電池蓋１５の上方にタンク３の底部を位置させることが好ましい。このような構成とすることで、電池蓋１５が浮き上がってもタンク３により押さえ込むことができて、電池１６と端子ばね１７との接触不良を防止することができるものである。
【００１４】
【発明の実施の形態】
以下、本発明を添付図面に示す実施形態に基づいて説明する。
ケース１８にポンプブロック６、コントローラ部５０、電源である電池１６を収納して灌水器本体２が構成してある。灌水器本体２のケース１８は図２に示す実施形態においては、下ケース体１９と上ケース体２０とを合わせて固着し、更に、上ケース体２０に操作パネル２１、電池蓋１５を取付けて構成してある。上記灌水器本体２のケース１８の上面部の中央部は上方及び両側に開口するように凹んでいて被結合用凹み部１２となっている。
【００１５】
灌水器本体２のケース１８の被結合用凹み部１２の両側部は電池収納部９とコントローラ収納部１０となっており、電池収納部９には電池１６が収納され、コントローラ収納部１０には表面側に操作パネル２１が設けられ、この操作パネル２１は水やり時刻、水やり量、水やり間隔、現在時刻等の操作釦３０が設けてあり、コントローラ収納部１０内にこれらの設定、ポンプ１を駆動制御するマイクロコンピュータ、モータ駆動回路等のコントローラ部５０が収納される。図３には操作パネル２１に設けた操作部の一例を示しており、水やり日設定は毎日、１日おき、２日おき、毎週等の間隔が選択できる。また、水やり時刻設定は午前、午後の操作釦３０で各々別に時刻設定ができるようになっている。また、この操作釦３０は現在時刻合わせ釦と併用していて現在時刻の設定釦を兼ねている。一番下の操作釦３０は水やり量の選択釦で、この例では３段階の設定としている。
【００１６】
電池収納部９には上記のように電池１６が収納されるが、電池収納部９に電池１６を収納するに当たっては、電池蓋１５を外して電池収納部９に電池１６を入れ、電池蓋１５を被せることで、電池１６のマイナス側が端子ばね１７に押し付けられ、電池１６のプラス側が電池蓋１５に設けた端子に接続されるものである。
【００１７】
また、灌水器本体２のケース１８の略中央部にはポンプブロック収納部１９が形成してあり、このポンプブロック収納部１９にポンプブロック６が収納される。ここで、ポンプブロック収納部１９の一部は上記被結合用凹み部１２とコントローラ収納部１０との間に形成してあって、この内部の空所の高さが高くなった部分にポンプブロック６のモータ２２が収納してある。ポンプブロック６は上記モータ２２、モータ２２により回転する螺旋状の羽根車２３を有する羽根車式のポンプ１を有しており、ポンプブロック６のケース７に設けた筒部２３がＯリングを介して上ケース体２０の筒部２４に水密的にはめ込み接合してあって灌水器本体２側の給水部２５を構成してあり、この給水部２５が上記被結合用凹み部１２の上面部に開口している。灌水器本体２のタンク３との結合部の上面である上記被結合用凹み部１２の上面部の給水部２５の周囲には水受け用凹部１１が設けてある。
【００１８】
ポンプブロック６の先端部には吐出口３１が設けてあり、この吐出口３１にホース１３の一端部が接続してある。ケース１８にはホース１３を複数方向に引き出すことができるように複数箇所に孔又は切欠よりなる取り出し部１４が設けてあって、任意の取り出し部１４よりホース１３が外部に引き出され、このホース１３の先端部に図１に示すように分配器３２を接続してあり、分配器３２にドリップチューブ３３を接続し、ドリップチューブ３３にドリップノズル３４が接続されるものである。
【００１９】
タンク３は下面部に結合凹部４が形成してある。図１、図２に示す実施形態においては、タンク３は下面部の左右方向の中央部を下方及び前後両側方に開口するように凹ませて結合凹部４としてある。また、結合凹部４の前部と後部とはさらに上方に凹ませてあって前段部２６、後段部２７となっている。タンク３の底部の結合凹部４部分に筒状をした給水部２８が設けてあり、この筒状をした給水部２８に上下移動自在に止水用の弁５が取付けてあり、止水用の弁５を上昇させると給水部２８が開となり、止水用の弁５を下降させると給水部２８が閉となるようにしてある。上記筒状をした給水部２８は上端部がタンク３内にやや突出していて給水部２８内にごみ等の異物が入りにくいようにしてあり、また、下端部が結合凹部４の上底部よりも下方に突出していて該下方への突出部分の外周部にＯリング２９が設けてある。
【００２０】
ここで、タンク３は下面部の左右方向の中央部を凹ませて結合凹部４としてあるので、タンク３内の結合凹部４の両側部の底部は止水用の弁５を設けた結合凹部４の上底部よりも下方に位置することになり、したがって、タンク３内において止水用の弁５の両側方に止水用の弁５よりも低いごみ等の異物を溜めるための凹所８が形成されていることになる。また、タンク３の上端部の左右両側部には把手部３５が設けてあり、また、タンク３の上開口部にはタンク蓋３６が着脱自在に取付けられるものである。
【００２１】
上記の構成のタンク３は灌水器本体２から取り外した状態で、水道の蛇口のような水源まで持っていって、タンク３内に給水するものであり、この場合、止水用の弁５は下降していて、給水部２８から水が漏れないようになっている。
上記のように水を補給したタンク３は灌水器本体２の所に持って行き、タンク３の下面部に形成した下方及び側方に開口した結合凹部４を、灌水器本体２上面部に係止した上方及び側方に開口した被結合用凹み部１２に互いに入れ子状に結合することで入れ子結合するものである。つまり、タンク３の結合凹部４内に灌水器本体２が入れ子状にはめ込まれ且つ灌水器本体２の被結合用凹み部１２にタンク３の下端部が入れ子状にはめ込まれるものであり、このように入れ子結合した状態で、筒状をした給水部２８が給水部２５にＯリング２９を介して水密的にはめ込まれることで、ポンプブロック６のケース７とタンク３とが直接着脱自在に結合されるものである。この時、図２に示すように、給水部２５内に設けてある押し上げ棒部３７が止水用の弁５を押し上げて給水部２８が開となり、タンク３内の水がポンプブロック６のケース７内に供給されるものである。このように、ポンプブロック６のケース７とタンク３とを直接着脱自在に結合することで、タンク３とポンプブロック６とを接続するための別途接続ホースを必要としないものである。また、タンク３の結合凹部４内に灌水器本体２が入れ子状にはめ込まれ且つ灌水器本体２の被結合用凹み部１２にタンク３の下端部が入れ子状にはめ込まれた状態で、図２に示すように、タンク３の結合凹部４の前部に設けた前段部２６が灌水器本体２のケース１８の前部の上面に載置されると共に、タンク３の結合凹部４の後部に設けた後段部２７が電池蓋１５の上面に載置されるものである。そして、上記のように、タンク３と灌水器本体２とを入れ子結合することで、給水部２８と給水部２５とが誤挿入されることなく、確実に且つ容易にタンク３が灌水器本体２にセットされることになり、また、本体が吊り下げ式のように不安定な設置がされることがない。ここで、上記のようにタンク３と灌水器本体２とを入れ子結合した場合、タンク３の底部の嵌め込み凹部４以外の部分は灌水器本体２の底部と同じレベルとなるようにして灌水器本体２の底部とタンク３の底部の嵌め込み凹部４以外の部分とが接地されることで、安定して設置できるようにしておく。
【００２２】
しかして、ポンプ１を駆動して吐出口３１、ホース１３、分配器３２、ドリップチューブ３３を経て植木鉢や植木の根元に刺したドリップノズル３４から給水するものである。
タンク３内の水にごみのような異物が混入している場合、すでに述べたように、灌水器本体２との結合部分のタンク３底部の周囲（図１の実施形態においては両側）に、灌水器本体２を挟んで両側に止水用の弁５よりも低いごみ等の異物を溜めるための凹所８を設けてあるので、ごみ等の異物は止水用の弁５よりも低い位置にある凹所８に溜まって止水用の弁５にごみ等の異物が溜まり、止水用の弁５に異物が噛み込みタンク３を外した際に水漏れしたり、あるいは、ポンプ１内に異物が侵入するのを防止している。ここで、図４に示すようにタンク３の下面部に形成した灌水器本体２との結合部である結合凹部４を下方程凹部の幅が広くなるように側面を傾斜させると、傾斜した側面に沿って異物を落とすことができて、いっそう止水用の弁５が詰まったり、ポンプ１側に異物が侵入しないようにできるものである。ここで、図３に示す実施形態においては結合凹部４を湾曲面とすることで傾斜面としており、このように結合凹部４を湾曲面とすると、湾曲面の頂部に止水用の弁５を設けた給水部２８を設けることで、給水部２８のすぐ横から傾斜した側面となって、いっそうごみ等の異物が傾斜した側面に沿って落下して止水用の弁５を詰まらせるようなことがないものである。
【００２３】
すでに述べたように、ケース１８にはホース１３を複数方向に引き出すことができるように複数箇所に孔又は切欠よりなる取り出し部１４が設けてあるので（図５の実施形態では左右両側にそれぞれ取り出し部１４が設けてある）、任意の取り出し部１４より目的とする植木鉢や植物の方に向けてホース１３を引き出すことができるものである。
【００２４】
タンク３に水を補給する場合には、タンク３を灌水器本体２から取り外し、灌水器本体２はそのまま設置位置に残した状態で、すでに述べたようにタンク３のみを水道の蛇口のような水源に持っていって水を補給するのであるが、この場合、灌水器本体２からタンク３を外すと、タンク３の給水部２８は止水用の弁５により閉塞される。しかしながら、給水部２８の下部に付着した水は下方に溢れるものである。この水はタンク３を灌水器本体２から外した際に灌水器本体２のタンク３との結合部の上面である上記被結合用凹み部１２の上面部の給水部２５の周囲に設けた水受け用凹部１１で受けられるものであり、これによりタンク３を外す際にタンク３の給水部２８に残った水が床に溢れ落ちることがないものである。
【００２５】
ところで、電池収納部９に電池１６を収納した場合、長時間使用時に端子ばね１７のばね付勢力により電池収納部９が変形するような力が作用し、これにより電池蓋１５が上方に浮き上がろうとし、電池１６と端子ばね１７との接触不良が発生するおそれがあるが、図２に示すように、電池収納部９の電池蓋１５の上にタンク３の底部の後段部２７が載設されるようになっており、これにより電池蓋１５が浮き上がってもタンク３により押さえ込むことができて、電池１６と端子ばね１７との接触不良を防止することができるものである。
【００２６】
図５には本発明の他の実施形態が示してある。本実施形態においては、タンク３の下面部に少なくとも下方に開口した結合凹部４を設け、この結合凹部４に灌水器本体２の全体をはめ込んで入れ子結合するものである。このような構成とすることで、簡単な構成でタンク３と灌水器本体２とを入れ子結合することができ、更に、灌水器本体２がタンク３よりはみ出さず、設置する場所を取らないようにできると共に、雨などが灌水器本体２にかかり、灌水器本体２内へ水が浸入することを防止することができるものである。
【００２７】
なお、上記したいずれの実施形態においても、使用しない時にはタンク３を灌水器本体２から外し、タンク３内に灌水器本体２を収納できるような寸法関係となるようにタンク３、灌水器本体２の大きさを設定しておくと、使用しない時にタンク３内に灌水器本体２（これに加えてホース１３、分配器３２、ドリップチューブ３３、ドリップノズル３４）を収納することで、コンパクトに一まとめにして収納することができるものである。
【００２８】
【発明の効果】
本発明の請求項１記載の発明にあっては、上述のように、ポンプにより鉢、植木などへ水やりを行う自動灌水器において、灌水器本体にポンプを内蔵し、この灌水器本体に組み合わされてポンプに接続されるタンクを有し、灌水器本体上部にタンクが着脱自在に取付けられるものであって、少なくともタンク下面部に結合凹部を設けて該結合凹部が灌水器本体に入れ子結合により着脱自在に結合されるので、灌水器本体やホースの設置はそのままで、タンクを外して水源から水を入れて運んでくることができるものであって、水の補給の際に灌水本体を移動する必要がないので、水の補給が簡単にでき、しかも灌水器本体が水の補給の際に濡れたりしないものであり、また、タンクを掃除する際に、灌水器本体から取り外して掃除できるのでタンクの掃除が容易に行えるものであり、また、タンク下面部の結合凹部が灌水器本体に入れ子結合により着脱自在に結合されることで、誤挿入なく、確実且つ容易にタンクをセットでき、また、灌水器本体とタンクとが一体化したものと同様に設置できて、従来の吊り下げ式のような不安定な設置をされることがないものである。
【００２９】
また、請求項２記載の発明にあっては、上記請求項１記載の発明の効果に加えて、タンク底部に止水用の弁を設けてあるので、タンクを外しても水漏れがしないので、タンクを外した状態で水を入れることができるものである。
また、請求項３記載の発明にあっては、上記請求項１記載の発明の効果に加えて、灌水器本体に設けたポンプブロックのケースとタンクとを直接着脱自在に結合してあるので、ポンプとタンクとをつなぐための接続ホースを必要としないものであって、コンパクトとなり、防水の面でも信頼性が向上するものである。
【００３０】
また、請求項４記載の発明にあっては、上記請求項１又は請求項２記載の発明の効果に加えて、灌水器本体との結合部分のタンク底部の周囲に、灌水器本体を挟んで両側に止水用の弁よりも低いごみ等の異物を溜めるための凹所を設けてあるので、タンク内の水にごみのような異物が混入していても、異物はタンク底部に設けた凹所に溜まることになり、この結果、タンクの止水用の弁に異物が挟まって水漏れしたり、ポンプ内に異物が侵入するのが防止できるものである。
【００３１】
また、請求項５記載の発明にあっては、上記請求項１記載の発明の効果に加えて、タンク下面部の結合凹部の両側に位置する灌水器本体の部位に電池収納部と、コントローラ収納部とを設けてあるので、灌水器本体の給水部の高さを低くできて、灌水器本体にタンクを取付けた場合における全体の高さを低くすることができてコンパクト化が図れるものであり、また、タンクの前後を灌水器本体の前後から挟んで取付けるような構造となるため、タンクが安定し、外れたり、倒れたりしにくくなるものである。
【００３２】
また、請求項６記載の発明にあっては、上記請求項１又は請求項２記載の発明の効果に加えて、灌水器本体のタンクとの結合部の上面に水受け用凹部を設けてあるので、タンクを外す際に、タンクの給水部に残った水を水受け用凹部で受けることができて、床を水で濡らさないものである。
また、請求項７記載の発明にあっては、上記請求項４記載の発明の効果に加えて、タンクの下面部に形成した灌水器本体との結合部である結合凹部を下方程凹部の幅が広くなるように側面を傾斜させてあるので、タンク内に混入したごみのような異物が傾斜した側面に沿ってスムーズに落ちてごみ等の異物を溜めるための凹所に溜まるものであって、よりいっそうタンクの止水用の弁に異物が挟まって水漏れしたり、ポンプ内に異物が侵入するのが防止できるものである。
【００３３】
また、請求項８記載の発明にあっては、上記請求項１記載の発明の効果に加えて、タンクの下面部に下方及び側方に開口した結合凹部を設け、灌水器本体上面部に上方及び側方に開口した被結合用凹み部を形成し、結合凹部を被結合用凹み部に入れ子結合してあるので、簡単な構成でタンクと灌水器本体とを入れ子結合することができるものである。
【００３４】
また、請求項９記載の発明にあっては、上記請求項１記載の発明の効果に加えて、タンクの下面部に少なくとも下方に開口した結合凹部を設け、この結合凹部に灌水器本体を入れ子結合してあるので、簡単な構成でタンクと灌水器本体とを入れ子結合することができるものであり、また、灌水器本体がタンクよりはみ出さず、設置する場所を取らないようにできると共に、雨などが灌水器本体にかかり、灌水器本体内へ水が浸入することを防止することができるものである。
【００３５】
また、請求項１０記載の発明にあっては、上記請求項１記載の発明の効果に加えて、ポンプに接続したホースの灌水器本体からの取り出し部を複数設けてあるので、灌水器本体や鉢の設置条件に応じてホースの引出し方向を変えることができるものである。
また、請求項１１記載の発明にあっては、上記請求項１又は請求項５記載の発明の効果に加えて、灌水器本体に電源である電池収納部を設け、この電池収納部の電池蓋の上方にタンクの底部を位置させてあるので、電池蓋が浮き上がってもタンクにより押さえ込むことができて、電池と端子ばねとの接触不良を防止することができて、安定した使用ができるものである。
【図面の簡単な説明】
【図１】本発明の分解斜視図である。
【図２】同上の灌水器本体にタンクを組み合わせた状態を示す断面図である。
【図３】同上の操作パネルの正面図である。
【図４】同上のタンクの他の実施形態の断面図である。
【図５】同上のポンプに接続したホースの灌水器本体からの取り出し部を複数設けた例を示す断面図である。
【図６】本発明の他の実施形態の分解斜視図である。
【符号の説明】
１  ポンプ
２  灌水器本体
３  タンク
４  結合凹部
５  止水用の弁
６  ポンプブロック
７  ケース
８  凹所
９  電池収納部
１０  コントローラ収納部
１１  水受け用凹部
１２  被結合用凹み部
１３  ホース
１４  取り出し部
１５  電池蓋
【図１】
0003629934.tif 000002
【図２】
0003629934.tif 000003
【図３】
0003629934.tif 000004
【図４】
0003629934.tif 000005
【図５】
0003629934.tif 000006
【図６】
0003629934.tif 000007